(57)【要約】【課題】文字板および指針に均一に照射することができる指針照明装置を提供すること。【解決手段】発光ダイオード１３から照射された光は、分針軸６の内の柱状の導光部材である導光ブロック１４の導光路を経由して、保護ガラス１６の下面に設けられている光拡散部１５に当たり、この光拡散部１５で拡散された拡散光によって、分針１、時針２及び文字板５の全体を効果的に照明する。分針１、時針２の運針状態を目で確実かつ容易に視認することができるばかりでなく、文字板５上に配置された時字５ｂ等を効果的に照明することができる。【選択図】図１
2013096769.tif 000002
【特許請求の範囲】
【請求項１】
保護ガラスが設けられた時計ケースと、
この時計ケース内に前記保護ガラスと対応して配置された文字板と、
この文字板の中心部分に設けられた貫通孔に挿入されて前記保護ガラス側に突出するように配置された指針軸と、
この指針軸の上部に取り付けられて前記文字板の上方を運針する指針と、
前記指針軸の下部位置に配置された発光素子と、
前記指針軸の上部と対向する前記保護ガラスの下面に設けられた光拡散部と、
この光拡散部に前記発光素子から発光された光を導くように、前記指針軸内に設けられた導光手段と、
を備えたことを特徴とする指針照明装置。
【請求項２】
保護ガラスが設けられた時計ケースと、
この時計ケース内に前記保護ガラスと対応して配置された文字板と、
この文字板の中心部分に設けられた貫通孔に挿入されて前記保護ガラス側に突出するように配置された指針軸と、
この指針軸の上部に取り付けられて前記文字板の上方を運針する指針と、
前記指針軸の下部位置に配置された発光素子と、
前記指針軸の上部に設けられた光拡散部と、
この光拡散部に前記発光素子から発光された光を導くように、前記指針軸内に設けられた導光手段と、
を備えたことを特徴とする指針照明装置。
【請求項３】
前記導光手段は、導光部材からなり、この導光部材は、前記指針軸の軸心部内に配設された柱状の導光ブロックを備えており、この導光ブロックの下方位置に前記発光素子が配設されていることを特徴とする請求項１または２に記載の指針照明装置。
【発明の詳細な説明】
【技術分野】
【０００１】
本発明は、腕時計などの指針照明装置に関するものである。
【背景技術】
【０００２】
従来、１つの発光素子で発光した光を文字板および指針にほぼ均一に照射できる電子時計が知られている（特許文献１）。この電子時計は、 時計ガラスが設けられた腕時計ケース内に文字板を配置し、この文字板の中心部分に設けられた貫通孔に指針軸を挿入させてその上方に突出させ、この指針軸の上部に指針を取り付けて文字板の上方で運針させる電子腕時計であり、指針軸の上端面にチップ状の紫外線発光素子を設けている。
この電子時計によれば、紫外線発光素子が文字板の中心部分における上方で発光することになり、このために、文字板の中心部分が暗くならないという効果を奏することが可能である。
【先行技術文献】
【特許文献】
【０００３】
【特許文献１】特開２００３−２９４８６４号公報
【発明の概要】
【発明が解決しようとする課題】
【０００４】
しかしながら、指針軸の上端面にチップ状の紫外線発光素子を設けるのみでは、文字板および指針に均一に照射することができないという問題点があった。
本発明は、かかる問題点に鑑みなされたもので、文字板および指針に均一に光を照射することができる指針照明装置を提供することを目的としている。
【課題を解決するための手段】
【０００５】
本発明に係る指針照明装置は、
保護ガラスが設けられた時計ケースと、
この時計ケース内に前記保護ガラスと対応して配置された文字板と、
この文字板の中心部分に設けられた貫通孔に挿入されて前記保護ガラス側に突出するように配置された指針軸と、
この指針軸の上部に取り付けられて前記文字板の上方を運針する指針と、
前記指針軸の下部位置に配置された発光素子と、
前記指針軸の上部と対向する前記保護ガラスの下面に設けられた光拡散部と、
この光拡散部に前記発光素子から発光された光を導くように、前記指針軸内に設けられた導光手段と、
を備えたことを特徴とする。
【発明の効果】
【０００６】
本発明によれば、指針軸の下部位置に配置された発光素子と、指針軸の上部と対向する保護ガラスの下面に設けられた光拡散部と、この光拡散部に発光素子から発光された光を導くように、指針軸内に設けられた導光手段とを備えているので、光源の配置に無理がなく、また、文字板および指針を全域にわたり光を均一に照射することができる。
【図面の簡単な説明】
【０００７】
【図１】この発明の第１の実施形態の指針式腕時計の断面図である。
【図２】この発明の第２の実施形態の指針式腕時計の断面図である。
【発明を実施するための形態】
【０００８】
（第１の実施形態）
図１は、第１の実施形態における指針式腕時計の側断面図である。
この指針式腕時計１００は、時計ケース（Ｋ）内に設けられている複数の指針である分針１及び時針２を動かすための運針機構を備えている時計ムーブメント３と、この時計ムーブメント３を内蔵している円盤状または筒状のハウジング４とを備えている。
【０００９】
ハウジング４の上面側には文字板５が配置されている。この文字板５の中央部には貫通孔５ａが設けられている。この貫通孔５ａには、分針軸６と時針軸７とが挿入して配置されている。この分針軸６と時針軸７との上部は文字板５から突出している。この分針軸６の上端には分針１が、時針軸７の上端には時針２がそれぞれ取り付けられている。
分針軸６の下端部には二番車９が取り付けられている。この分針軸６の下端部はハウジング４のメインプレート８の下方まで延びている。二番車９は、メインプレート８とこのメインプレート８の下方に配置された輪列受１０との間に配置されている。
一方、時針軸７の下端部には時針用筒車１１が取り付けられている。この時針用筒車１１は、メインプレート８と、このメインプレート８の上方の筒車押さえ部材１２との間に配置されている。輪列受１０の下方には回路基板３０が配置されている。この回路基板３０の上面には各種電子部品が配置されている。分針軸６の真下の位置には、発光素子である発光ダイオード（ＬＥＤ）１３が配置されている。
【００１０】
分針軸６は中空軸となっている。この分針軸６の中心部には、例えばアクリル樹脂やポリカーボネ―ト樹脂等で形成された柱状の導光部材である導光ブロック１４が配置されている。この導光ブロック１４は、分針軸６と一体的に回転するように、当該分針軸６に固定して設けられている。この導光ブロック１４は、分針軸６の下端から上端近くまで延在している。この導光ブロック１４は、発光ダイオード１３からの光を下端から当該導光ブロック１４内に導入し、その導入した光を分針軸６の上端まで導く。分針軸６の中空部の上端に導かれた光は、分針軸６の上部と対向する保護ガラス１６の下面に設けられた光拡散部１５に照射されるようになっている。
【００１１】
光拡散部１５は、光の拡散効果を有する透明素材または反射素材から構成されている。したがって、発光ダイオード１３から照射された光は、分針軸６の内の柱状の導光部材である導光ブロック１４の導光路を経由して、保護ガラス１６の下面に設けられている光拡散部１５に当たり、この光拡散部１５で拡散された拡散光によって、分針１、時針２及び文字板５の全体を効果的に照明することが可能となる。
【００１２】
このように構成された指針式腕時計１００によれば、発光ダイオード１３から照射された光は、分針軸６の内の柱状の導光部材である導光ブロック１４の導光路を経由して、保護ガラス１６の下面に設けられている光拡散部１５に当たり、この光拡散部１５で拡散された拡散光によって、分針１、時針２及び文字板５の全体を効果的に照明する。このために、分針１、時針２の運針状態を目で確実かつ容易に視認することができるばかりでなく、文字板５上に配置された時字５ｂ等を効果的に照明することができる。
【００１３】
（第２の実施形態）
図２は、本発明に係る指針式腕時計の第２の実施形態を示している。なお、図面において第１の実施形態と同一の部材には同じ符号を付してある。
【００１４】
図１に示す第１の実施形態の場合と同様に、分針軸６は中空軸となっている。この分針軸６の中心部には、柱状の導光部材である導光ブロック１４が配置されている。この導光ブロック１４は、分針軸６の下端から上端近くまで延在している。この導光ブロック１４は、発光ダイオード１３からの光を下端から当該導光ブロック１４内に導入し、その導入した光を分針軸６の上端まで導く。分針軸６の中空部の上端に導かれた光は、分針軸６の上部に設けられた光拡散部１５Ａに照射されるようになっている。
【００１５】
光拡散部１５Ａは、光の拡散効果を有する透明素材または反射素材から構成されている。したがって、発光ダイオード１３から照射された光は、分針軸６の内の柱状の導光部材である導光ブロック１４の導光路を経由して、分針軸６の上部に設けられている光拡散部１５Ａに当たり、この光拡散部１５Ａで拡散された拡散光によって、分針１、時針２及び文字板５の全体を効果的に照明することが可能となる。
【００１６】
このように構成された指針式腕時計１００によれば、発光ダイオード１３から照射された光は、分針軸６の内の柱状の導光部材である導光ブロック１４の導光路を経由して、分針軸６の上部に設けられている光拡散部１５Ａに当たり、この光拡散部１５Ａで拡散された拡散光によって、分針１、時針２及び文字板５の全体を効果的に照明する。このために、分針１の運針状態を目で確実かつ容易に視認することができるばかりでなく、文字板５上に配置された時字５ｂ等を効果的に照明することができる。
【００１７】
以上、本発明の実施形態について説明したが、本発明は、かかる実施形態に限定されるものではなく、種々の変形が可能であることは言うまでもない。
例えば、この実施形態では、導光ブロック内の複数の光導波路は、指針軸の内部に設けているが、指針軸の内部及び外部の一方でもよい。
また、この実施形態では、光拡散部に発光素子である発光ダイオードから発光された光を導くように、指針軸内に導光部材を配置しているが、指針軸内に導光部材を配置せず、光拡散部に発光素子から発光された光を直接に導くように、指針軸内に中空の導光路を設けるようにしてもよい。
また、この実施形態では指針式腕時計に適用した場合について説明しているが、置時計、柱時計または車両の指針式計測機器などに広く適用可能である。
【００１８】
以下に、この出願の願書に最初に添設した特許請求の範囲に記載した発明を付記する。付記に記載した請求項の項番は、この出願の願書に最初に添設した特許請求の範囲の通りである。
〔付記〕
＜請求項１＞
保護ガラスが設けられた時計ケースと、
この時計ケース内に前記保護ガラスと対応して配置された文字板と、
この文字板の中心部分に設けられた貫通孔に挿入されて前記保護ガラス側に突出するように配置された指針軸と、
この指針軸の上部に取り付けられて前記文字板の上方を運針する指針と、
前記指針軸の下部位置に配置された発光素子と、
前記指針軸の上部と対向する前記保護ガラスの下面に設けられた光拡散部と、
この光拡散部に前記発光素子から発光された光を導くように、前記指針軸内に設けられた導光手段と、
を備えたことを特徴とする指針照明装置。
＜請求項２＞
保護ガラスが設けられた時計ケースと、
この時計ケース内に前記保護ガラスと対応して配置された文字板と、
この文字板の中心部分に設けられた貫通孔に挿入されて前記保護ガラス側に突出するように配置された指針軸と、
この指針軸の上部に取り付けられて前記文字板の上方を運針する指針と、
前記指針軸の下部位置に配置された発光素子と、
前記指針軸の上部に設けられた光拡散部と、
この光拡散部に前記発光素子から発光された光を導くように、前記指針軸内に設けられた導光手段と、
を備えたことを特徴とする指針照明装置。
＜請求項３＞
前記導光手段は、導光部材からなり、この導光部材は、前記指針軸の軸心部内に配設された柱状の導光ブロックを備えており、この導光ブロックの下方位置に前記発光素子が配設されていることを特徴とする請求項１または２に記載の指針照明装置。
【符号の説明】
【００１９】
１          分針
２          時針
３          時計ムーブメント
５          文字板
５ａ        貫通孔
６          分針軸
７          時針軸
１３        発光ダイオード（ＬＥＤ）
１４        導光ブロック
１５、１５Ａ    光拡散部
Ｋ          時計ケース
１００      指針式腕時計
【図１】
2013096769.tif 000003
【図２】
2013096769.tif 000004